【手続補正書】
【提出日】平成20年6月3日(2008.6.3)
【手続補正１】
【補正対象書類名】特許請求の範囲
【補正対象項目名】全文
【補正方法】変更
【補正の内容】
【特許請求の範囲】
【請求項１】
オブジェクトプロセスグラフアプリケーションを定義するオブジェクトプロセスグラフであって、データの確認、変換、および表示の順序およびタイミングを制御するためのプロセス構造およびコントロール構造を含み、ダイナミックな有向巡回グラフであり、少なくとも１つのデータノードと、少なくとも１つのプロセスノードと、アプリケーション状態を定義する少なくとも１つのアプリケーション状態ノードを含む、オブジェクトプロセスグラフと、
前記オブジェクトプロセスグラフを解釈して前記オブジェクトプロセスグラフアプリケーションを実行し、解釈中に前記オブジェクトプロセスグラフが変更可能である、ダイナミックグラフインタプリタと、
前記オブジェクトプロセスグラフアプリケーション及び種々の前記アプリケーション状態に係る情報を受け取り表示媒体上にレンダリングするオブジェクトプロセスグラフアプリケーションビュワと、
確認基準に従ってユーザ入力の確認を実施して確認成功時には前記アプリケーション状態を変更し確認不成功時には前記アプリケーション状態を復元するようにするユーザ入力処理を実施し、ダイナミックグラフインタプリタにコマンドを与えて上記オブジェクトプロセスグラフアプリケーションを第１アプリケーション状態から第２アプリケーション状態に遷移させ、そして上記オブジェクトプロセスグラフアプリケーションビュワにコマンドを与えて上記オブジェクトプロセスグラフアプリケーション及び種々のアプリケーション状態に係る情報を表示させるオブジェクトプロセスグラフアプリケーションコントローラと、
を備えるオブジェクトプロセスグラフアプリケーションコントローラビュワ。
【請求項２】
請求項１記載のオブジェクトプロセスグラフアプリケーションコントローラビュワであって、そのオブジェクトプロセスグラフアプリケーションビュワが、上記オブジェクトプロセスグラフアプリケーション及び種々のアプリケーション状態に係る情報に種々のセキュリティ保全条件を適用するオブジェクトプロセスグラフアプリケーションコントローラビュワ。
【請求項３】
請求項１記載のオブジェクトプロセスグラフアプリケーションコントローラビュワであって、更に、
入力データを処理し、上記オブジェクトプロセスグラフアプリケーションビュワにコマンドを与えて上記オブジェクトプロセスグラフアプリケーション及び種々のアプリケーション状態に係る情報をレンダリングさせ、そして上記オブジェクトプロセスグラフアプリケーションを上記第１状態から上記第２状態に遷移させるアプリケーションセッショントランザクションコントローラを、
備えるオブジェクトプロセスグラフアプリケーションコントローラビュワ。
【請求項４】
請求項３記載のオブジェクトプロセスグラフアプリケーションコントローラビュワであって、そのアプリケーションセッショントランザクションコントローラへの入力データに、種々の命令乃至指定が含まれるオブジェクトプロセスグラフアプリケーションコントローラビュワ。
【請求項５】
請求項３記載のオブジェクトプロセスグラフアプリケーションコントローラビュワであって、そのアプリケーションセッショントランザクションコントローラが、更新したアプリケーション状態をパーシステント化するオブジェクトプロセスグラフアプリケーションコントローラビュワ。
【請求項６】
請求項３記載のオブジェクトプロセスグラフアプリケーションコントローラビュワであって、そのアプリケーションセッショントランザクションコントローラが、上記ダイナミックグラフインタプリタに対しコマンドして上記オブジェクトプロセスグラフアプリケーション及び種々のアプリケーション状態に係る情報を確認及び更新するオブジェクトプロセスグラフアプリケーションコントローラビュワ。
【請求項７】
請求項１記載のオブジェクトプロセスグラフアプリケーションコントローラビュワであって、更に、
上記オブジェクトプロセスグラフアプリケーションに係る種々の記述をロード及びストアするアプリケーションインポート／エキスポートコントローラを、
備えるオブジェクトプロセスグラフアプリケーションコントローラビュワ。
【請求項８】
請求項１記載のオブジェクトプロセスグラフアプリケーションコントローラビュワであって、そのオブジェクトプロセスグラフアプリケーションビュワが、
上記オブジェクトプロセスグラフアプリケーション及び種々のアプリケーション状態に係る情報を上記表示媒体上にレンダリングするダイナミック出力生成コントローラと、
上記ダイナミックグラフインタプリタにコマンドを与えて上記オブジェクトプロセスグラフアプリケーション及び種々のアプリケーション状態に係る情報の取出及び所定フォーマットへの変換を実行させるデータ取得変換調製コントローラと、
上記オブジェクトプロセスグラフアプリケーション及び種々のアプリケーション状態に係る情報に種々のセキュリティ保全条件及び種々のディスプレイプロパティを適用するディスプレイプロパティセキュリティプロパティ合成コントローラと、
を有するオブジェクトプロセスグラフアプリケーションコントローラビュワ。
【請求項９】
請求項１記載のオブジェクトプロセスグラフアプリケーションコントローラビュワであって、上記種々のセキュリティ保全条件がコンテキスト指向であるオブジェクトプロセスグラフアプリケーションコントローラビュワ。
【請求項１０】
オブジェクトプロセスグラフアプリケーションの実行を制御するステップであって、前記オブジェクトプロセスグラフアプリケーションはオブジェクトプロセスグラフによって定義され、前記オブジェクトプロセスグラフは、データの確認、変換、および表示の順序およびタイミングを制御するためのプロセス構造およびコントロール構造を含み、ダイナミックな有向巡回グラフであり、少なくとも１つのデータノードと、少なくとも１つのプロセスノードと、アプリケーション状態を定義する少なくとも１つのアプリケーション状態ノードを含み、前記実行は、前記オブジェクトプロセスグラフを解釈することで前記オブジェクトプロセスグラフアプリケーションを実行するダイナミックグラフインタプリタによって実施され、前記オブジェクトプロセスグラフは、前記ダイナミックグラフインタプリタによる解釈中に変更可能である、制御ステップと、
入力データを処理するステップであって、前記入力データは確認基準に従って確認され、確認成功時には前記アプリケーション状態を変更し確認不成功時には前記アプリケーション状態を復元するようにする、処理ステップと、
上記オブジェクトプロセスグラフアプリケーション及び関連する種々のアプリケーション状態に係る情報を表示媒体上に表示させるステップと、を実施することにより、
オブジェクトプロセスグラフシステムにおいてアプリケーションプログラムを作成し実行するためのオブジェクトプロセスグラフアプリケーションコントローラビュワを実行する方法。
【請求項１１】
請求項１０記載の方法であって、上記制御が、
上記表示の指令、
アプリケーション状態遷移を指令するコマンドの発行、並びに
種々のオブジェクトプロセスグラフアプリケーション記述のインポート及びエキスポートの制御を、
含む方法。
【請求項１２】
請求項１０記載の方法であって、上記入力データに種々の命令乃至指定が含まれる方法。
【請求項１３】
請求項１０記載の方法であって、上記表示が、
表示を指令するコマンドの取得、
データ入力によって上記オブジェクトプロセスグラフアプリケーション及び種々のアプリケーション状態に係る情報をやりとりする手段の提供、並びに
コンテキストに従った上記アプリケーション状態の表示を、
含む方法。
【請求項１４】
ソフトウェア製品として格納媒体上に格納された命令群の実行により実行される方法であって、
オブジェクトプロセスグラフアプリケーション及び種々のアプリケーション状態に係る情報を受け取るステップであって、前記オブジェクトプロセスグラフアプリケーションはオブジェクトプロセスグラフによって定義され、前記オブジェクトプロセスグラフは、データの確認、変換、および表示の順序およびタイミングを制御するためのプロセス構造およびコントロール構造を含み、ダイナミックな有向巡回グラフであり、少なくとも１つのデータノードと、少なくとも１つのプロセスノードと、前記アプリケーション状態を定義する少なくとも１つのアプリケーション状態ノードを含み、前記オブジェクトプロセスグラフアプリケーションは、前記オブジェクトプロセスグラフを解釈することで前記オブジェクトプロセスグラフアプリケーションを実行するダイナミックグラフインタプリタによって実行され、前記オブジェクトプロセスグラフは、前記ダイナミックグラフインタプリタによる解釈中に変更可能である、情報受け取りステップと、
上記オブジェクトプロセスグラフアプリケーション及び種々のアプリケーション状態に係る情報を表示媒体上にレンダリングするステップと、
ユーザ入力を処理するステップであって、前記ユーザ入力は確認基準に従って確認され、確認成功時には前記アプリケーション状態を変更し確認不成功時には前記アプリケーション状態を復元するようにする、処理ステップと、
上記オブジェクトプロセスグラフアプリケーションを第１状態から第２状態に遷移させるステップと、を実施することにより、
オブジェクトプロセスグラフアプリケーションコントローラビュワを実行する方法。
【請求項１５】
請求項１４記載の方法であって、上記ユーザ入力に種々の命令乃至指定が含まれる方法。
【請求項１６】
請求項１４記載の方法であって、更に、更新したアプリケーション状態をパーシステント化する方法。
【請求項１７】
請求項１４記載の方法であって、更に、上記オブジェクトプロセスグラフアプリケーション及び種々のアプリケーション状態に係る情報を確認及び更新する方法。
【請求項１８】
請求項１４記載の方法であって、更に、上記オブジェクトプロセスグラフアプリケーションに係る種々の記述をロード及びストアする方法。
【請求項１９】
請求項１４記載の方法であって、更に、上記オブジェクトプロセスグラフアプリケーション及び種々のアプリケーション状態に係る情報をフォーマット変換する方法。
【請求項２０】
請求項１４記載の方法であって、更に、上記オブジェクトプロセスグラフアプリケーション及び種々のアプリケーション状態に係る情報にコンテキスト指向な種々のセキュリティ保全条件を適用する方法。
【手続補正２】
【補正対象書類名】図面
【補正対象項目名】全図
【補正方法】変更
【補正の内容】
【図１】
2008507032.tif 000001
【図２】
2008507032.tif 000002
【図３】
2008507032.tif 000003
【図４】
2008507032.tif 000004
【図５】
2008507032.tif 000005
【図６】
2008507032.tif 000006
【図７】
2008507032.tif 000007
【図８】
2008507032.tif 000008
【図９】
2008507032.tif 000009
【図１０】
2008507032.tif 000010
【図１１】
2008507032.tif 000011
【図１２】
2008507032.tif 000012
【図１３】
2008507032.tif 000013